(57)【特許請求の範囲】
【請求項１】
閉鎖可能な注入短管と排出栓を接続するための流出短管とを有する合成樹脂製内側容器と、金属格子または薄板からなる外壁と、フォークリフト、棚操作装置または類似の輸送手段による取扱操作に合わせて、合成樹脂製スキッドパレットまたは枠パレットとして形成された支台とを具備し、
スキッドパレットが中央スキッドと２個の外側スキッドの支持脚に載る、内側容器を支持するための底板を備え、枠パレットが底板用基礎枠と支持脚を備えており、
支台（１７）の底板（２１）が合成樹脂製射出成形品として製作されている、
液体用輸送兼貯蔵容器
において、
支台（１７）の底板（２１）が、異なる範囲内において、内側容器（２）を載置し底板（２１）を補強するための縦方向ウェブ（３０）および横方向ウェブ（３１）を備えており、
横方向ウェブ（３１）が、支台（１７）の底板（２１）の、後側エッジ部分（２８ａ）と前側エッジ部分（２８ｂ）の範囲内に配置されており、
縦方向ウェブ（３０）がこれら横方向ウェブの間の中間の範囲内において配置されていることを特徴とする容器。
【請求項２】
内側容器（２）の底板（７）に適合した支台（１７）の底板（２１）が、上向きに湾曲し周方向に延在するエッジ（２８）を有し、かつ底板中心軸線（２９−２９）に関して対称に配置された２つの底板部分（２１ａ、２１ｂ）に分割され、この底板部分が２〜５°の範囲内の傾斜角度（α）をなして支台底板（２１）の後側エッジ部分（２８ａ）から前側エッジ部分（２８ｂ）の方へゆるやかに傾斜し、かつ２〜５°の範囲内の傾斜角度（β）をなして底板（２１）の両側方エッジ部分（２８ｃ、２８ｄ）から底板中心軸線（２９−２９）の方へゆるやかに傾斜していることを特徴とする請求項１に記載の容器。
【請求項３】
内側容器（２）の底板（７）の傾斜流出条溝（２０）を収容するための中央の条溝状の凹部（３２）が、支台（１７）の底板（２１）の２つの縦方向ウェブ（３０、３０）の間に形成され、かつ底板エッジ（２８）の後側エッジ部分（２８ａ）から前側エッジ部分（２８ｂ）の方へゆるやかに傾斜していることを特徴とする請求項１または２に記載の容器。
【請求項４】
支台（１７）の底板（２１）が内側容器（２）の排出栓（１３）の下方の出口範囲内に、前方へ開放した谷状の凹部（３３）を有し、この凹部がＵ字状横断面形状を有する前側の支持脚を形成し、この支持脚によって底板（２１）が支台（１７）の中央スキッド（２２）に支持され、底板（２１）がさらに、中央スキッド（２２）の中央支持脚（２５）および後側支持脚（２６）と、両外側スキッド（２３、２４）の前側支持脚（２７）、中央支持脚（２５）および後側支持脚（２６）に載っていることを特徴とする請求項１〜３のいずれか一項に記載の容器。
【請求項５】
中央の補強薄板（３４）を備え、この補強薄板が支台（１７）の底板（２１）の両部分（２１ａ、２１ｂ）の下面（３６）に取付けられ、かつ横方向ウェブ（３１）に対して平行に向いていることを特徴とすることを特徴とする請求項１〜４のいずれか一項に記載の容器。
【請求項６】
両底板部分（２１ａ、２１ｂ）の下面（３６）に、補強薄板（３４）用の保持部（３５）が形成されていることを特徴とする請求項５に記載の容器。
【請求項７】
支台（１７）の底板（２１）と外壁（１４）が、中央スキッド（２２）と両外側スキッド（２３、２４）の支持脚（２５〜２７）にボルト止めおよび／または溶接されていることを特徴とする請求項１〜６のいずれか一項に記載の容器。
【発明の詳細な説明】
【技術分野】
【０００１】
本発明は、閉鎖可能な注入短管と排出栓を接続するための流出短管とを有する合成樹脂製内側容器と、金属格子または薄板からなる外壁と、フォークリフト、棚操作装置または類似の輸送手段による取扱操作に合わせて、合成樹脂製スキッドパレットまたは枠パレットとして形成された支台とを具備し、スキッドパレットが中央スキッドと２個の外側スキッドの支持脚に載る、内側容器を支持するための底板を備え、枠パレットが底板用基礎枠と支持脚を備えている、液体用輸送兼貯蔵容器に関する。
【背景技術】
【０００２】
特許文献１に記載されたこの種の輸送兼貯蔵容器は、スキッドパレットとして形成された支台を備えている。このスキッドパレットは合成樹脂製の中央スキッドと、２つの外側スキッドと、スキッドの支持脚に載っている薄板製底板とによって形成されている。液体を収容するための輸送容器の合成樹脂製内側容器が底板に載る。
【０００３】
さらに、薄板外壁または格子外壁によって囲まれた内側容器を支持するための木製パレットまたは鋼製パレットを備えた液体用輸送容器が市販されている。
【０００４】
この公知の液体用輸送兼貯蔵容器の空の状態の重量は比較的大きい。
【先行技術文献】
【特許文献】
【０００５】
【特許文献１】独国特許出願公告第１０１１０９２６Ｂ４号明細書
【発明の概要】
【発明が解決しようとする課題】
【０００６】
本発明の根底をなす課題は、容器の安定性を高め、空の重量を低下させるように、冒頭に述べた種類の液体用輸送兼貯蔵容器の支台を改良することである。
【課題を解決するための手段】
【０００７】
この課題は本発明に従い、請求項１の特徴を有する液体用輸送兼貯蔵容器によって解決される。
【０００８】
従属請求項は本発明の有利で合目的な発展形態を含んでいる。
【発明の効果】
【０００９】
本発明に係る輸送兼貯蔵容器は次の利点がある。
【００１０】
合成樹脂射出成形品として製作された容器支台の底板に、縦方向ウェブと横方向ウェブを形成することにより、底板の安定性が大幅に改善され、それに伴い容器の輸送安全性が高まる。底板の安定性が改善されることにより、材料の厚さを薄くすることができる。これにより、容器の空の重量および輸送コストが低減される。合成樹脂製支台底板の材料厚さを薄くし、リサイクル合成樹脂材料を底板の製造に使用できるようにしたことにより、容器の製作コストが低減される。底板の合成樹脂材料は、酸やアルカリのような攻撃性液体に対して良好な耐性を保証する。合成樹脂製内側容器を支持する働きをする、スキッドパレットとして形成された支台の底板を下げてゆるやかに傾斜させたことにより、外形寸法が同じである場合、異なる容積を有する新規な容器の定格容積は、市販されている標準容器よりも増大する。その際、輸送手段による輸送兼貯蔵容器の取扱操作のために必要である、輸送兼貯蔵容器の内側容器のための支台の支持底板の最低地上高に悪影響を与えることがない。
【００１１】
次に、図に基づいて本発明を説明する。
【図面の簡単な説明】
【００１２】
【図１】スキッドパレットとして形成された支台を有する液体用輸送兼貯蔵容器の斜視図である。
【図２】容器の支台の底板の斜視図である。
【図３】支台の底板の平面図である。
【図４】支台の底板に載っている内側容器の一部を示す、図３のＩＶ−ＩＶ線に沿った支台の底板の中心縦断面図である。
【図５】内側容器の一部を示す、図３のＶ−Ｖ線に沿った支台の底板の横断面図である。
【発明を実施するための形態】
【００１３】
使い捨て容器および何回も使える容器として使用可能である図１に示した液体用輸送兼貯蔵容器１は、その主構成部品として、交換可能な直方体の合成樹脂製内側容器２を備えている。この内側容器は前壁３と、後壁４と、２つの側壁５、６と、底板７と、天板８と、この天板８に成形され蓋１０によって閉鎖可能な注入短管９と、前壁３の下側部分の湾曲窪み１１に成形された、排出栓１３を接続するための出口短管１２とを備えている。液体用輸送兼貯蔵容器１は、その主構成部品としてさらに、互いに交叉する水平な金属製格子棒１５および垂直な金属製格子棒１６を有する格子壁として形成された、内側容器２を収容するための外壁１４と、ヨーロッパ規格の長さ寸法と幅寸法を有する、スキッドパレット１８として形成された支台１７とを備えている。この支台上には内側容器２が載る。傾斜流出板として形成された内側容器２の底板７は、底板中心軸線１９−１９に関して対称に配置された２つの底板部分７ａ、７ｂに分割されている。この底板部分は２〜５°の範囲内の小さな傾斜角度αをなして容器２の後壁４から前壁３の方へ傾斜し、かつ２〜５°の範囲内の小さな傾斜角度βをなして容器２の両側壁５、６から底板中心線１９−１９の方へ傾斜している。
【００１４】
内側容器２の底板７は中央の浅い傾斜流出条溝２０を有する。この傾斜流出条溝は、容器後壁４から、容器の前壁３に設けられた、排出栓１３を接続するための出口短管１２の方へやや傾斜して延在している。
【００１５】
輸送兼貯蔵容器１の支台１７のスキッドパレット１８は、合成樹脂製射出成形品として製作された、内側容器２を支持するための底板２１と、合成樹脂製の中央スキッド２２と、合成樹脂製の２つの外側スキッド２３、２４とからなっている。浅い槽状の底板２１を支持するために、中央スキッド２２は中央の支持脚２５と後側の支持脚２６を備え、両外側スキッド２３、２４はそれぞれ前側の支持脚２７と中央の支持脚２５と後側の支持脚２６を備えている。底板の下方に、フォークリフト、棚操作装置または類似の輸送手段の掴みアームを挿入することができる。
【００１６】
内側容器２の底板７に適合した支台１７の底板２１は、上向きに湾曲した周方向に延在するエッジ２８を備え、そして底板中心軸線２９−２９に関して対称に配置された２つの底板部分２１ａ、２１ｂに分割されている。この底板部分は２〜５°の範囲内の傾斜角度αをなして後側エッジ部分２８ａから前側エッジ部分２８ｂの方へゆるやかに傾斜し、そして２〜５°の範囲内の傾斜角度βをなして両側方エッジ部分２８ｃ、２８ｄから底板中心軸線２９−２９の方へゆるやかに傾斜している。
【００１７】
支台１７の底板２１の両部分２１ａ、２１ｂは、内側容器２を載置し底板を補強するために縦方向ウェブ３０と横方向ウェブ３１を有する。横方向ウェブ３１は底板エッジ２８の後側エッジ部分２８ａと前側エッジ部分２８ｂの範囲に設けられている。
【００１８】
底板２１の２つの縦方向ウェブ３０、３０の間には、内側容器２の底板７の傾斜流出条溝２０を収容するための中央の条溝状凹部３２が形成されている。この凹部３２は底板エッジ２８の後側エッジ部分２８ａから前側エッジ部分２８ｂの方へゆるやかに傾斜している。
【００１９】
支台１７の底板２１は内側容器２の排出栓１３の下の出口範囲内に、前方へ開放した谷状の凹部３３を有する。この凹部はＵ字状の横断面形状を有する前側の支持脚を形成する。底板２１がこの前側の支持脚によって支台１７の中央スキッド２２に支持されている。
【００２０】
支台１７の底板２１は中央の補強薄板３４を備えている。この補強薄板は底板の横方向ウェブ３１に対して平行に向いていて、両底板部分２１ａ、２１ｂの下面３６の保持部３５に挿入されている。
【００２１】
支台１７の底板２１と、輸送兼貯蔵容器１の格子外壁１４は、中央スキッド２２の支持脚２５〜２７と両外側スキッド２３、２４にボルト止めおよび／または溶接されている。
【００２２】
液体用輸送兼貯蔵容器の他の実施形態の場合、支台は枠パレットとして形成可能である。
【符号の説明】
【００２３】
１    輸送兼貯蔵容器
２    内側容器
３    内側容器２の前壁
４    内側容器２の後壁
５    内側容器２の側壁
６    内側容器２の側壁
７    内側容器２の底板
７ａ  底板７の底板部分
７ｂ  底板７の底板部分
８    内側容器２の天板
９    天板８の注入短管
１０  注入短管９の蓋
１１  前壁３の湾曲窪み
１２  湾曲窪み１１の出口短管
１３  排出栓
１４  外壁
１５  外壁１４の水平な格子棒
１６  外壁１４の垂直な格子棒
１７  支台
１８  スキッドパレット
１９−１９  底板７の中心軸線
２０  底板７の傾斜流出条溝
２１  支台１７の底板
２１ａ  底板２１の底板部分
２１ｂ  底板２１の底板部分
２２  底板１７の中央スキッド
２３  底板１７の外側スキッド
２４  底板１７の外側スキッド
２５  スキッド２２〜２４の中央支持脚
２６  スキッド２２〜２４の後側支持脚
２７  スキッド２３、２４の前側支持脚
２８  底板２１のエッジ
２８ａ  後側エッジ部分
２８ｂ  前側エッジ部分
２８ｃ  側方エッジ部分
２８ｄ  側方エッジ部分
２９−２９  底板２１の中心軸線
３０  底板部分２１ａ、２１ｂの縦方向ウェブ
３１  底板部分２１ａ、２１ｂの横方向ウェブ
３２  縦方向ウェブ３０、３０の間の条溝状凹部
３３  底板２１の谷状凹部
３４  底板２１の補強薄板
３５  底板部分２１ａ、２１ｂの下面３６の保持部
３６  底板部分２１ａ、２１ｂの下面
α    底板７と底板部分２１ａ、２１ｂの傾斜角度
β    底板７と底板部分２１ａ、２１ｂの傾斜角度
【図１】
0004990307.tif 000002
【図２】
0004990307.tif 000003
【図３】
0004990307.tif 000004
【図４】
0004990307.tif 000005
【図５】
0004990307.tif 000006